【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
(ａ)遷移金属の非メタロセン化合物及びメタロセン化合物を含有するバイメタル触媒前駆体を含有する触媒前駆体と、有機アルミニウム成分及び改質メチルアルミノキサン成分を含有する助触媒とを化合し、活性化触媒を得ること、
(ｂ)重合条件下で、前記活性化触媒をオレフィンモノマーと接触させ、ポリオレフィンを生成すること、
(ｃ)前記ポリオレフィンの少なくとも１つの生成物パラメーターを決定すること及び
(ｄ)前記生成物パラメーターを目標生成物パラメーターと比較することに基づいて、改質メチルアルミノキサン成分に対する有機アルミニウム成分の比を変更すること
を含む、ポリオレフィンを製造する方法。
【請求項２】
少なくとも１つの生成物パラメーターが溶融流量を含み、目標生成物パラメーターが目標溶融流量を含む、請求項１に記載の方法。
【請求項３】
生成物パラメーターに基づいて、改質メチルアルミノキサン成分に対する有機アルミニウム成分の比を変更することが、溶融流量を目標溶融流量と比較することを含む、請求項２に記載の方法。
【請求項４】
生成物パラメーターに基づいて、改質メチルアルミノキサン成分に対する有機アルミニウム成分の比を変更することが、
(ｄ１)溶融流量が目標溶融流量より小さい場合、改質メチルアルミノキサン成分に対する有機アルミニウム成分の比を増大すること及び
(ｄ２)溶融流量が目標溶融流量より大きい場合、改質メチルアルミノキサン成分に対する有機アルミニウム成分の比を低減させること
の少なくとも１つを含む、請求項２に記載の方法。
【請求項５】
ポリオレフィンが、比較的より高い分子量ポリマー成分と比較的より低い分子量ポリマー成分とを含み、少なくとも１つの生成物パラメーターが、比較的より高い分子量ポリマー成分の重量分率を含み、目標生成物パラメーターが、比較的より高い分子量ポリマー成分の目標重量分率を含む、請求項１に記載の方法。
【請求項６】
生成物パラメーターに基づいて、改質メチルアルミノキサン成分に対する有機アルミニウム成分の比を変更することが、より高い分子量ポリマー成分の重量分率が目標重量分率より大きい場合、改質メチルアルミノキサン成分に対する有機アルミニウム成分の比を増大すること、又はより高い分子量ポリマー成分の重量分率が目標重量分率より小さい場合、改質メチルアルミノキサン成分に対する有機アルミニウム成分の比を低減させることを含む、請求項５に記載の方法。
【請求項７】
改質メチルアルミノキサン成分におけるアルミニウムに対する有機アルミニウム成分におけるアルミニウムのモル比が、０.１乃至５０の範囲である、請求項１に記載の方法。
【請求項８】
少なくとも１つの生成物パラメーターがメルトフロー比をさらに含み、目標生成物パラメーターが目標メルトフロー比をさらに含む、請求項１に記載の方法。
【請求項９】
メルトフロー比がＩ２１.６/Ｉ２.１６である、請求項８に記載の方法。
【請求項１０】
(ａ)遷移金属の非メタロセン化合物及びメタロセン化合物を含有するバイメタル触媒前駆体を含有する触媒前駆体と、有機アルミニウム成分及び改質メチルアルミノキサン成分を含有する助触媒とを化合し、活性化触媒を得ること、
(ｂ)重合条件下で、前記活性化触媒をオレフィンモノマーと接触させ、ポリオレフィンを製造すること、
(ｃ)前記ポリオレフィンの溶融流量を決定すること及び
(ｄ)溶融流量が目標溶融流量より小さい場合、改質メチルアルミノキサン成分に対する有機アルミニウム成分の比を増大すること、又は溶融流量が目標溶融流量より大きい場合、改質メチルアルミノキサン成分に対する有機アルミニウム成分の比を低減させること
を含む、目標溶融流量を有するポリオレフィンを製造する方法。
【請求項１１】
溶融流量がフローインデックスＩ２１.６である、請求項２または１０に記載の方法。
【請求項１２】
(ａ)遷移金属の非メタロセン化合物及びメタロセン化合物を含有するバイメタル触媒前駆体を含有する触媒前駆体と、有機アルミニウム成分及び改質メチルアルミノキサン成分を含有する助触媒とを化合し、活性化触媒を得ること、
(ｂ)重合条件下で、前記活性化触媒をオレフィンモノマーと接触させ、ポリオレフィンを生成すること、
(ｃ)より高い分子量ポリマー成分とより低い分子量ポリマー成分の少なくとも１つの重量分率を決定すること及び
(ｄ)比較的より高い分子量ポリマー成分の重量分率が目標重量分率より大きい場合、改質メチルアルミノキサン成分に対する有機アルミニウム成分の比を増大するか、又は比較的より高い分子量ポリマー成分の重量分率が目標重量分率より小さい場合、改質メチルアルミノキサン成分に対する有機アルミニウム成分の比を低減させることにより、改質メチルアルミノキサン成分に対する有機アルミニウム成分の比を変更すること
を含む、比較的より高い分子量ポリマー成分と比較的より低い分子量ポリマー成分とを含有し、かつ、比較的より高い分子量ポリマー成分及び比較的より低い分子量ポリマー成分の目標重量分率を有するポリオレフィンを製造する方法。
【請求項１３】
接触、決定及び変更を各々、少なくとも２回行なう、請求項１、１０及び１２のいずれかに記載の方法。
【請求項１４】
有機アルミニウム成分が、少なくとも１つのトリアルキルアルミニウム化合物を含む、請求項１、１０及び１２のいずれかに記載の方法。
【請求項１５】
トリアルキルアルミニウム化合物が、トリメチルアルミニウム、トリエチルアルミニウム、トリプロピルアルミニウム、トリブチルアルミニウム、トリイソブチルアルミニウム、トリヘキシルアルミニウム及びトリオクチルアルミニウムの少なくとも１つを含有する、請求項１４に記載の方法。
【請求項１６】
バイメタル触媒前駆体が、チタン、ジルコニウム、ハフニウム、バナジウム、ニオブ及びタンタルの少なくとも１つを含有する非メタロセン成分と、チタン、ジルコニウム及びハフニウムの少なくとも１つのメタロセンを少なくとも１つ含有するメタロセン成分とを含有する、請求項１、１０及び１２のいずれかに記載の方法。 
【請求項１７】
バイメタル触媒前駆体が、チタン及びバナジウムの少なくとも１つを含有する非メタロセン成分と、ジルコニウムのメタロセンを少なくとも１つ含有するメタロセン成分とを含有する、請求項１６に記載の方法。
【請求項１８】
オレフィンモノマーが少なくとも８０重量％のエチレンを含有する、請求項１、１０及び１２のいずれかに記載の方法。
【請求項１９】
オレフィンモノマーが少なくとも１つのＣ３−Ｃ１０α−オレフィンモノマーをさらに含有する、請求項１０、１２及び１８のいずれかに記載の方法。
【請求項２０】
(ｉ)(Ａ)チタン及びバナジウムの少なくとも１つの非メタロセン化合物及び
(Ｂ)ジルコニウムのメタロセン化合物
を含有するバイメタル触媒前駆体と、
(ｉｉ)(Ａ)トリメチルアルミニウム、トリエチルアルミニウム、トリプロピルアルミニウム、トリブチルアルミニウム、トリイソブチルアルミニウム、トリヘキシルアルミニウム及びトリオクチルアルミニウムから選ばれる有機アルミニウム化合物及び
(Ｂ)改質メチルアルミノキサンを含有する助触媒とを化合し、活性化触媒を得ること、
(ｂ)重合条件下で、前記活性化触媒を、８０乃至９９重量％のエチレンと１乃至２０重量％の少なくとも１つのＣ３−Ｃ１０α−オレフィンを含有するモノマーと接触させ、ポリエチレンを製造すること、
(ｃ)前記ポリオレフィンの溶融流量を決定すること及び
(ｄ)溶融流量が目標溶融流量より小さい場合、改質メチルアルミノキサンに対する有機アルミニウムの比を増大するか又は、溶融流量が目標溶融流量より大きい場合、改質メチルアルミノキサンに対する有機アルミニウムの比を低減させること
を含む、目標溶融流量を有するポリエチレンコポリマーを製造する方法。
【請求項２１】
(ｉ)(Ａ)チタン及びバナジウムの少なくとも１つの非メタロセン化合物及び
(Ｂ)ジルコニウムのメタロセン化合物
を含有するバイメタル触媒前駆体と、
(ｉｉ)(Ａ)トリメチルアルミニウム、トリエチルアルミニウム、トリプロピルアルミニウム、トリブチルアルミニウム、トリイソブチルアルミニウム、トリヘキシルアルミニウム及びトリオクチルアルミニウムから選ばれる有機アルミニウム化合物及び
(Ｂ)改質メチルアルミノキサン
を含有する助触媒とを化合し、活性化触媒を得ること、
(ｂ)重合条件下で、前記活性化触媒を、８０乃至９９重量％のエチレンと１乃至２０重量％の少なくとも１つのＣ３−Ｃ１０α−オレフィンを含有するモノマーと接触させ、ポリエチレンを製造すること、
(ｃ)より高い分子量ポリマー成分の重量分率を決定すること及び
(ｄ)より高い分子量ポリマー成分の重量分率が目標重量分率より大きい場合、改質メチルアルミノキサンに対する有機アルミニウムの比を増大するか又はより高い分子量ポリマー成分の重量分率が目標重量分率より小さい場合、改質メチルアルミノキサンに対する有機アルミニウムの比を低減させることにより、改質メチルアルミノキサンに対する有機アルミニウムの比を変更すること
を含む、より高い分子量ポリマー成分及びより低い分子量ポリマー成分を含有し、より高い分子量ポリマー成分及びより低い分子量ポリマー成分の目標重量分率を有するポリオレフィンを生成する方法。